(57)【要約】【課題】本発明は、個人識別情報が登録済の利用者と個人識別情報が未登録の利用者とのかごへの同乗を回避することができ、個人識別情報が登録済の利用者が快適にかごに乗車することができるエレベータシステムを得ることを目的とするものである。【解決手段】制御盤４は、建物１の各乗場階への配車順序を含めたかご３の運転を制御する。建物１の各階の乗場には、タッチパネル式呼び登録装置５、乗場個人識別装置６がそれぞれ設けられている。乗場個人識別装置６は、利用者が所持するＩＣカード７に格納された個人識別情報を読み取ることにより、利用者が居住者であるか訪問者であるかを判別する。また、乗場個人識別装置６は、読み取った個人識別情報に基づいて、居住者の個人認証を行と、読み取った個人識別情報、及び呼び登録要求の情報を制御盤４へ送る。【選択図】図１
2007290811.tif 000002
【特許請求の範囲】
【請求項１】
利用者から個人識別情報が入力されることによりエレベータの利用者毎に個人識別情報が登録済であるかどうかを判別する個人判別部、及び
利用者同士のかごへの同乗可否条件であるかご同乗条件を利用者の個人識別情報に対応付けて記憶可能であり、上記個人判別部での判別結果が登録済である場合に、上記個人判別部から取得した個人識別情報に対応する上記かご同乗条件に基づいて、個人識別情報が登録済の利用者と個人識別情報が未登録の利用者との上記かごへの同乗可否を判別し、判別結果に基づいて上記かごの配車順序を決定する配車制御部
を備えていることを特徴とするエレベータシステム。
【請求項２】
上記配車制御部は、個人識別情報が登録済の利用者の属性である特定利用者属性と、個人識別情報が未登録の利用者の属性である訪問者属性とを含めた個人属性を、上記個人判別部から取得した個人識別情報に基づいて利用者毎に判別し、判別した利用者の個人属性と、上記個人判別部から取得した利用者の個人識別情報に対応する上記かご同乗条件とに基づいて、互いに異なる個人属性の利用者同士の上記かごへの同乗可否を判別することを特徴とする請求項１記載のエレベータシステム。
【請求項３】
上記配車制御部は、特定利用者属性の利用者による所定の操作に応じて複数の訪問者属性の中から、個人識別情報が未登録の利用者の個人属性を判別することを特徴とする請求項２記載のエレベータシステム。
【請求項４】
各乗場に設けられ、利用者により操作されるとともに、表示変更可能であるタッチパネル式呼び登録装置
をさらに備え、
上記配車制御部は、上記かごの配車状況に応じて、上記タッチパネル式呼び登録装置の表示を変更させることを特徴とする請求項１から請求項３までのいずれか１項に記載のエレベータシステム。
【請求項５】
上記配車制御部は、行先階の自動登録を行うための配車設定を個人識別情報に対応付けて記憶可能であり、入力された個人識別情報に基づいて行先階の自動登録を行うことを特徴とする請求項１から請求項４までのいずれか１項に記載のエレベータシステム。
【請求項６】
上記かご同乗条件には、利用者のペットとの同伴乗車に係わる条件が含まれていることを特徴とする請求項１から請求項５までのいずれか１項に記載のエレベータシステム。
【発明の詳細な説明】
【技術分野】
【０００１】
この発明は、個人識別情報が登録済の利用者に特定サービスを提供するエレベータシステムに関するものである。
【背景技術】
【０００２】
マンション（集合住宅）及びテナントビル等の建物では、不特定多数の人に出入りされるため、不審者が建物内に入り込む恐れがある。このため、不審者と居住者とがかご内で同乗した場合、居住者が犯罪に遭遇する可能性があり、セキュリティ性が低下していた。
これに対して、従来のエレベータ乗降者管理システムでは、利用許可者及び同行者によるエレベータの利用が許可され、エレベータの利用者が限定される（例えば、特許文献１参照）。
【０００３】
【特許文献１】特開２００５−２５５３０７号公報
【発明の開示】
【発明が解決しようとする課題】
【０００４】
上記のような従来のエレベータ乗降者管理システムでは、エレベータの利用者の利用制限を行っているが、昇降時のかご内の乗車状況を考慮していないため、利用者同士の同乗を防ぐことができず、利用者に心理的負荷（ストレス）が発生することがあった。
【０００５】
この発明は、上記のような課題を解決するためになされたものであり、個人識別情報が登録済の利用者と個人識別情報が未登録の利用者とのかごへの同乗を回避することができ、個人識別情報が登録済の利用者が快適にかごに乗車することができるエレベータシステムを得ることを目的とする。
【課題を解決するための手段】
【０００６】
この発明に係るエレベータシステムは、利用者から個人識別情報が入力されることによりエレベータの利用者毎に個人識別情報が登録済であるかどうかを判別する個人判別部、及び利用者同士のかごへの同乗可否条件であるかご同乗条件を利用者の個人識別情報に対応付けて記憶可能であり、個人判別部での判別結果が登録済である場合に、個人判別部から取得した個人識別情報に対応するかご同乗条件に基づいて、個人識別情報が登録済の利用者と個人識別情報が未登録の利用者とのかごへの同乗可否を判別し、判別結果に基づいてかごの配車順序を決定する配車制御部を備えている。
【発明の効果】
【０００７】
この発明のエレベータシステムは、個人判別部での判別結果が登録済である場合に、個人判別部から取得した個人識別情報に対応するかご同乗条件に基づいて、個人識別情報が登録済の利用者と個人識別情報が未登録の利用者とのかごへの同乗の可否を判別し、かごの配車順序を決定するので、個人識別情報が登録済の利用者と個人識別情報が未登録の利用者とのかごへの同乗を回避することができ、個人識別情報が登録済の利用者が快適にかごに乗車することができる。
【発明を実施するための最良の形態】
【０００８】
以下、この発明を実施するための最良の形態について、図面を参照して説明する。
実施の形態１．
図１は、この発明の実施の形態１によるエレベータシステムを示す構成図である。
図において、建物（例えばマンション等の集合住宅）１内には、エレベータ２が設けられている。エレベータ２は、昇降路内を昇降するかご３と、配車制御部としての制御盤４とを有している。制御盤４は、建物１の各乗場階への配車順序を含めたかご３の運転を制御する。
【０００９】
建物１の各階の乗場には、タッチパネル式呼び登録装置５、個人判別部としての乗場個人識別装置（センサ式呼び登録装置、呼び登録認識装置）６がそれぞれ設けられている。タッチパネル式呼び登録装置５は、制御盤４により表示を制御される画面部を有している。また、タッチパネル式呼び登録装置５の画面部は、利用者による操作を検出する。さらに、タッチパネル式呼び登録装置５は、画面部が利用者により操作されると、操作された箇所（押圧箇所）に対応する情報を制御盤４へ送る。さらにまた、タッチパネル式呼び登録装置５は、制御盤４による表示制御により上下ボタン部を表示しているときに、上下ボタン部の表示箇所が利用者により操作されたことを検出すると、呼び登録要求の情報を制御盤４へ送る。
【００１０】
乗場個人識別装置６は、利用者が所持するＩＣカード７に格納された個人識別情報を読み取ることにより、利用者が居住者であるか訪問者であるかを判別する。即ち、乗場個人識別装置６は、利用者から個人識別情報が入力されることにより利用者毎に個人識別情報が登録済の利用者であるかどうかを判別する。また、乗場個人識別装置６は、読み取った個人識別情報に基づいて、居住者の個人認証を行う。さらに、乗場個人識別装置６は、居住者の個人認証を行うと、読み取った個人識別情報、及び呼び登録要求の情報を制御盤４へ送る。
【００１１】
建物１の出入口（玄関）には、玄関ドア８が設けられている。玄関ドア８は、電気錠及び開閉検出センサ（ともに図示せず）が設けられている。また、建物１の出入口の外側には、訪問者により操作されるインターホン９、インターホン９の周辺（訪問者）を撮影するカメラ１０、及び個人判別部としての玄関個人識別装置（センサ式呼び登録装置、呼び登録認識装置）１１が設けられている。
【００１２】
玄関個人識別装置１１は、利用者が所持するＩＣカード７に格納された個人識別情報を読み取ることにより、利用者が居住者であるか訪問者であるかを判別する。即ち、玄関個人識別装置１１は、利用者から個人識別情報が入力されることにより利用者毎に個人識別情報が登録済の利用者であるかどうかを判別する。また、玄関個人識別装置１１は、読み取った個人識別情報に基づいて、居住者の個人認証を行う。さらに、玄関個人識別装置１１は、居住者の個人認証を行うと、読み取った個人識別情報、及び呼び登録要求の情報を制御盤４へ送る。
【００１３】
さらにまた、玄関個人識別装置１１は、居住者を正しく認証すると、玄関ドア８の電気錠を解錠させる。また、玄関個人識別装置１１は、外部から戸開指令を受けると、玄関ドア８の電気錠を解錠させる。さらに、玄関個人識別装置１１は、開閉検出センサを介して、玄関ドア８が一旦開いて、閉じたことを検出すると、玄関ドア８の電気錠を施錠させる。
【００１４】
建物１の各階（居住階）には、複数の居室１２（図中１つのみ示す）がそれぞれ設けられている。各居室１２には、インターホン９に通話可能に接続されたドアホン１３と、インターホン９に対する応答時に居住者により操作される操作パネル１４とが設けられている。ドアホン１３は、カメラ１０からの映像を表示するモニタ部を有している。
【００１５】
ここで、制御盤４による配車順序の決定に係わるエレベータの利用者の個人属性について説明する。制御盤４は、乗場個人識別装置６又は玄関個人識別装置１１から個人識別情報を受けることにより、エレベータの利用者毎の個人属性を判別する。個人属性とは、建物１内への入館の目的に応じて決定される利用者の属性である。エレベータの利用者の個人属性は、個人識別情報が予め設定された利用者（居住者）である特定利用者としての居住者属性（属性Ａ）と、個人識別情報が設定されていない利用者（非居住者）である訪問者属性（属性Ｂ〜Ｄ）とに、制御盤４により判別される。
【００１６】
また、制御盤４は、乗場個人識別装置６又は玄関個人識別装置１１からの個人識別情報に基づいて、エレベータ２の利用者（居住者）の個人属性が属性Ａであると判別する。さらに、制御盤４は、操作パネル１４からの情報に基づいて、複数の訪問者属性としての属性Ｂ〜Ｄの中から、建物１内への訪問者の個人属性を判別する。属性Ｂとは、居住者の知人に対して設定される属性である。属性Ｃとは、例えば郵便配達員等の出入業者に対して設定される属性である。属性Ｄとは、居住者の知人、及び出入業者以外の建物１内への訪問者に対して設定される属性である。
【００１７】
図２は、図１の操作パネル１４を拡大して示す正面図である。図において、操作パネル１４には、居住者により操作（所定の操作）される複数のボタン１４ａ〜１４ｃ，１４ｘ〜１４ｚが設けられている。また、操作パネル１４は、ボタン１４ａ〜１４ｃが操作されると、玄関階で訪問者が乗車するための呼び登録要求の情報を制御盤４へ送る。さらに、操作パネル１４は、ボタン１４ａ〜ボタン１４ｃが居住者により操作されると、玄関ドア８の電気錠を解錠させるために、玄関個人識別装置１１へ戸開指令を送る。さらにまた、操作パネル１４は、ボタン１４ｘ〜１４ｚが操作されると、居室１２に対応する居住階で訪問者がかご３に乗車するための呼び登録要求の情報を制御盤４へ送る。
【００１８】
ボタン１４ａは、居住者の知人（属性Ｂ）に対して建物１内への入館を許可する場合に、居住者により操作される。ボタン１４ｂは、出入業者（属性Ｃ）に対して建物１内への入館を許可する場合に、居住者により操作される。ボタン１４ｃは、知人及び出入業者以外の訪問者（属性Ｄ）に対して建物１内への入館を許可する場合に、居住者により操作される。
【００１９】
ボタン１４ｘは、居住者の知人（属性Ｂ）に対して建物１から退館する場合に、居住者により操作される。ボタン１４ｙは、出入業者（属性Ｃ）に対して建物１から退館する場合に、居住者により操作される。ボタン１４ｚは、知人及び出入業者以外の訪問者（属性Ｄ）に対して建物１から退館する場合に、居住者により操作される。即ち、居住者（特定利用者属性の利用者）による操作パネル１４の操作によって、訪問者の個人属性が属性Ｂ〜Ｄの中から決定される。
【００２０】
図３は、図１の制御盤４を具体的に示す構成図である。制御盤４は、呼び登録部４ａ、居住者情報記憶部４ｂ、呼び決定部４ｃ及び表示制御部４ｄを有している。呼び登録部４ａは、タッチパネル式呼び登録装置５、乗場個人識別装置６、玄関個人識別装置１１又は操作パネル１４からの呼び登録要求の情報に応じて、該当の乗場階での仮の呼び登録を行う。
【００２１】
居住者情報記憶部４ｂには、かご３の行先階を自動登録するための配車設定と、利用者同士によるかご３内での同乗の可否の条件であるかご同乗条件とが居住者の個人識別情報に対応付けて記憶されている。また、居住者情報記憶部４ｂは、制御盤４に接続されたカード管理装置１５から、配車設定及びかご同乗条件の情報と個人識別情報とを受けて、配車設定及びかご同乗条件を記憶（登録又は変更）する。カード管理装置１５は、居住者のＩＣカード７に格納された個人識別情報の書き換え等のカードの管理を行う。また、カード管理装置１５は、カメラ１０からの映像情報を記憶する。
【００２２】
呼び決定部４ｃは、制御盤４の全体の動作を制御する。また、呼び決定部４ｃは、操作パネル１４からの情報と、乗場個人識別装置６又は玄関個人識別装置１１から受けた個人識別情報とに基づいて、エレベータの利用者毎の個人属性を判別する。さらに、呼び決定部４ｃは、乗場個人識別装置６又は玄関個人識別装置１１から個人識別情報及び呼び登録要求の情報を受けると、居住者対応運転の呼び登録要求を受けたと判断し、かご３の運転を、居住者対応運転とする。居住者対応運転とは、個人識別情報に対応するかご同乗条件及び配車設定に基づいて、かご３の配車順序を決定するかご３の運転である。
【００２３】
さらに、呼び決定部４ｃは、居住者対応運転を実行しているときに、判別した利用者毎の個人属性と、乗場個人識別装置６又は玄関個人識別装置１１から受けた個人識別情報に対応するかご同乗条件とに基づいて、かご３内での利用者同士の同乗可否を判別する。さらにまた、呼び決定部４ｃは、同乗可否の判別結果に基づいて乗場毎へのかご３の配車順序を決定し、呼び登録部４ａによる仮の呼び登録を確定させる。また、呼び決定部４ｃは、タッチパネル式呼び登録装置５から呼び登録要求の情報を受けると、タッチパネル式呼び登録装置５を操作した利用者の個人属性が属性Ｄであると判別する。表示制御部４ｄは、かご３の運転状況（配車状況）に基づいて、タッチパネル式呼び登録装置５の表示を制御する。
【００２４】
図４は、図３の居住者情報記憶部４ｂに記憶された同乗条件及び配車設定の一例を示す説明図である。図において、居住者情報記憶部４ｂには、居室番号、短縮登録階及び優先行先階が配車設定として、居住者の個人識別情報（ＩＤＮＯ）に対応付けて記憶されている。短縮登録階とは、呼び決定部４ｃが行先階の自動登録を行うための登録階であり、居住者が頻繁に降車する玄関階及び居住階以外の乗場階である。
【００２５】
優先行先階とは、玄関階及び居住階以外から乗車時に玄関階及び居住階の一方に行先階の自動登録を行うための設定である。また、居住者情報記憶部４ｂには、訪問者との同乗可否の設定、同乗可能個人属性、同乗可能個人属性の設定が有効となる時間帯である同乗可能時間帯、ペット飼育有無の設定、ペット同士の同乗の可否の設定、及び他のペットとの同乗可否の設定がかご同乗条件として、居住者の個人識別情報に対応付けて記憶されている。なお、同乗可能時間帯は、建物１の使用目的、及び利用者の都合の良い任意の時間帯に設定可能である。
【００２６】
ここで、表示制御部４ｄによるタッチパネル式呼び登録装置５の表示制御について説明する。表示制御部４ｄは、かご３内に利用者がおらず、かつどの乗場階からも呼び登録要求が発生していないときに、全ての乗場階のタッチパネル式呼び登録装置５に、図５に示すように上下ボタン部を表示させる。なお、このときに、表示制御部４ｄは、エレベータ２の最下階のタッチパネル式呼び登録装置５に上ボタン部のみを表示させ、エレベータ２の最上階のタッチパネル式呼び登録装置５に下ボタン部のみを表示させる。
【００２７】
また、表示制御部４ｄは、居住者対応運転が実行されているときに、居住者の待機階以外の階の全てのタッチパネル式呼び登録装置５に、図６に示すように「他の階で居住者対応運転の呼び登録有り」と表示させる。さらに、表示制御部４ｄは、居住者対応運転が実行されており、待機している居住者の配車設定に短縮登録階が設定されている場合に、居住者の待機階のみのタッチパネル式呼び登録装置５に、図７に示すように上下ボタン部（最下階：上ボタン部のみ、最上階：下ボタン部のみ）と、短縮登録階ボタン部（例えば３）とを表示させる。
【００２８】
さらにまた、表示制御部４ｄは、居住者対応運転が実行されており、待機している居住者のかご同乗条件にペット飼育有りと設定されている場合、居住者の待機階のみのタッチパネル式呼び登録装置５に、図８に示すように上下ボタン部（最下階：上ボタン部のみ、最上階：下ボタン部のみ）と、「ペット同伴乗車？」と、有無選択ボタン部（例えば無）とを表示させる。また、表示制御部４ｄは、ペット同伴中の居住者に対する居住者対応運転が実行されているときに、居住者の待機階以外の全ての乗場階のタッチパネル式呼び登録装置５に、図９に示すように「他の階で居住者対応運転の呼び登録有り・ペット同伴運転中」を表示させる。
【００２９】
さらに、表示制御部４ｄは、居住者により訪問者の建物１内への入館が許可されたときに、玄関階のタッチパネル式呼び登録装置５に、図１０に示すように同一の居住者の居住階ボタン部を表示させる。さらにまた、表示制御部４ｄは、訪問者がかご３に乗車しているときに、全ての乗場階のタッチパネル式呼び登録装置５に、図１１に示すように上下ボタン部と、「訪問者乗車中」とを表示させる。また、表示制御部４ｄは、訪問者が居住階から玄関階へ向かうときに、訪問者が乗車する居住階のタッチパネル式呼び登録装置５に、図１２に示すように玄関階ボタン部（例えば１）を表示させる。
【００３０】
ここで、制御盤４は、演算処理部（ＣＰＵ）、記憶部（ＲＯＭ、ＲＡＭ及びハードディスク等）及び信号入出力部を持ったコンピュータ（図示せず）により構成することができる。制御盤４のコンピュータの記憶部には、呼び登録部４ａ、呼び決定部４ｃ及び表示制御部４ｄの機能を実現するためのプログラムが格納されている。
【００３１】
次に、動作について説明する。まず、居住者（属性Ａの利用者）が玄関階から単独で乗車する場合の制御盤４による配車判断（配車順序の決定）の動作について説明する。図１３は、居住者が玄関階から単独で乗車する場合の図１の制御盤４による動作を示すフローチャートである。図において、制御盤４は、玄関階からの居住者対応運転の呼び登録要求の情報を受信すると（ステップＳ１）、玄関階以外の各階のタッチパネル式呼び登録装置５の表示変更を行い（ステップＳ２）、タッチパネル式呼び登録装置５に「他の階で居住者対応運転の呼び登録有り」と表示させる。そして、制御盤４は、個人識別情報に対応する配車設定に短縮登録階が設定されているかどうかを確認する（ステップＳ３）。
【００３２】
短縮登録階が設定されている場合、制御盤４は、玄関階のタッチパネル式呼び登録装置５の表示変更を行い（ステップＳ４）、タッチパネル式呼び登録装置５に短縮登録階ボタン部を表示させる。そして、制御盤４は、タッチパネル式呼び登録装置５の短縮登録階ボタン部が操作されたかどうかを確認する（ステップＳ５）。短縮登録階ボタン部が操作された場合、制御盤４は、短縮登録階への行先階の自動登録を行い、玄関階へかご３を配車し（ステップＳ６）、配車判断の動作が終了となる。
【００３３】
また、短縮登録階が設定されていない場合、又は短縮登録階ボタン部が操作されていない場合、制御盤４は、タッチパネル式呼び登録装置５の上下ボタン部が操作されたかどうかを確認する（ステップＳ７）。上下ボタン部が操作された場合、制御盤４は、居住者がかご３内のボタン操作により行先階を決定すると判断し、行先階の自動登録を行わないでそのまま玄関階へかご３を配車し（ステップＳ８）、配車判断の動作が終了となる。
【００３４】
さらに、上下ボタン部が操作されない場合、制御盤４は、所定時間（操作待ち時間）が経過したかどうかを確認し（ステップＳ９）、所定時間が経過するか、上下ボタン部又は短縮登録階ボタン部が操作されるまで待機する。そして、所定時間が経過すると、制御盤４は、居住階への行先階の自動登録を行い、玄関階へかごを配車し（ステップＳ１０）、配車判断の動作が終了となる。
【００３５】
次に、居住者が居住階から単独で乗車する場合の制御盤４による配車判断の動作について説明する。図１４は、居住者が居住階から単独で乗車する場合の図１の制御盤４の動作を示すフローチャートである。図において、制御盤４は、居住階からの居住者対応運転の呼び登録要求の情報を受信すると（ステップＳ１１）、呼び登録要求が発生した居住階以外の各階のタッチパネル式呼び登録装置５の表示変更を行い（ステップＳ１２）、タッチパネル式呼び登録装置５に「他の階で居住者対応運転の呼び登録有り」と表示させる。そして、制御盤４は、個人識別情報に対応する配車設定に短縮登録階が設定されているかどうかを確認する（ステップＳ１３）。
【００３６】
短縮登録階が設定されている場合、制御盤４は、居住階のタッチパネル式呼び登録装置５の表示変更を行い（ステップＳ１４）、タッチパネル式呼び登録装置５に短縮登録階ボタン部を表示させる。そして、制御盤４は、タッチパネル式呼び登録装置５の短縮登録階ボタン部が操作されたかどうかを確認する（ステップＳ１５）。短縮登録階ボタン部が操作された場合、制御盤４は、短縮登録階への行先階の自動登録を行い、居住階へかご３を配車し（ステップＳ１６）、配車判断の動作が終了となる。
【００３７】
また、短縮登録階が設定されていない場合、又は短縮登録階ボタン部が操作されていない場合、制御盤４は、タッチパネル式呼び登録装置５の上下ボタン部が操作されたかどうかを確認する（ステップＳ１７）。上下ボタン部が操作された場合、制御盤４は、居住者がかご３内のボタン操作により行先階を決定すると判断し、行先階の自動登録を行わないでそのまま居住階へかご３を配車し（ステップＳ１８）、配車判断の動作が終了となる。
【００３８】
さらに、上下ボタン部が操作されない場合、制御盤４は、所定時間（操作待ち時間）が経過したかどうかを確認し（ステップＳ１９）、所定時間が経過するか、上下ボタン部又は短縮登録階ボタン部が操作されるまで待機する。そして、所定時間が経過すると、制御盤４は、玄関階への行先階の自動登録を行い、居住階へかご３を配車し（ステップＳ２０）、配車判断の動作が終了となる。
【００３９】
次に、居住者が居住階及び玄関階以外の乗場階から単独で乗車する場合の制御盤４による配車判断の動作について説明する。図１５は、居住者が居住階及び玄関階以外の乗場階から単独で乗車する場合の図１の制御盤４による動作を示すフローチャートである。図において、制御盤４は、居住階及び玄関階以外の乗場階からの居住者対応運転の呼び登録要求の情報を受信すると（ステップＳ２１）、居住者の待機階以外の各階のタッチパネル式呼び登録装置５の表示変更を行い（ステップＳ２２）、タッチパネル式呼び登録装置５に「他の階で居住者対応運転の呼び登録有り」と表示させる。そして、制御盤４は、個人識別情報に対応する配車設定に短縮登録階が設定されているかどうかを確認する（ステップＳ２３）。
【００４０】
短縮登録階が設定されている場合、制御盤４は、居住者の待機階のタッチパネル式呼び登録装置５の表示変更を行い（ステップＳ２４）、タッチパネル式呼び登録装置５に短縮登録階ボタン部を表示させる。そして、制御盤４は、タッチパネル式呼び登録装置５の短縮登録階ボタン部が操作されたかどうかを確認する（ステップＳ２５）。短縮登録階ボタン部が操作された場合、制御盤４は、短縮登録階への行先階の自動登録を行い、居住者の待機階へかご３を配車し（ステップＳ２６）、配車判断の動作が終了となる。
【００４１】
また、短縮登録階が設定されていない場合、又は短縮登録階ボタン部が操作されていない場合、制御盤４は、タッチパネル式呼び登録装置５の上下ボタン部が操作されたかどうかを確認する（ステップＳ２７）。上下ボタン部が操作された場合、制御盤４は、居住者がかご３内のボタン操作により行先階を決定すると判断し、行先階の自動登録を行わないでそのまま居住者の待機階へかご３を配車し（ステップＳ２８）、配車判断の動作が終了となる。
【００４２】
さらに、上下ボタン部が操作されない場合、制御盤４は、所定時間（操作待ち時間）が経過したかどうかを確認し（ステップＳ２９）、所定時間が経過するか、上下ボタン部又は短縮登録階ボタン部が操作されるまで待機する。そして、所定時間が経過すると、制御盤４は、居住者の優先行先階の設定が居住階であるか、玄関階であるかを判断する（ステップＳ３０）。居住者の優先行先階の設定が居住階である場合、居住階への行先階の自動登録を行い、居住者の待機階へかご３を配車し（ステップＳ３１）、配車判断の動作が終了となる。一方、居住者の優先行先階の設定が玄関階である場合、玄関階への行先階の自動登録を行い、居住者の待機階へかご３を配車し（ステップＳ３２）、配車判断の動作が終了となる。
【００４３】
次に、かご４内に属性Ｄの利用者（カード未所持の居住者、又は建物１内への入館を許可された訪問者）が乗車している場合に、居住者運転対応の呼び登録要求を受けたときの制御盤４による配車判断の動作について説明する。図１６は、かご４内に属性Ｄの利用者が乗車している場合の図１の制御盤４による動作を示すフローチャートである。図において、まず、制御盤４は、タッチパネル式呼び登録装置５の上下ボタン部の操作による呼び登録要求の情報を受信すると（ステップＳ４１）、エレベータの利用者の個人属性が属性Ｄであると判別し、属性Ｄの利用者に対するサービスを開始する（ステップＳ４２）。そして、属性Ｄの利用者がかご３に乗り込むと、制御盤４は、全ての乗場階のタッチパネル式呼び登録装置５の表示変更を行い（ステップＳ４３）、タッチパネル式呼び登録装置５に訪問者乗車中であることを表示させる。
【００４４】
また、制御盤４は、居住者対応運転の呼び登録要求の情報を受信すると（ステップＳ４４）、居住者が設定したかご同乗条件に基づいて、属性Ｄの利用者と居住者とのかご３の同乗が可能であるかどうかを確認する（ステップＳ４５）。属性Ｄの利用者と居住者との同乗が可能である場合、制御盤４は、そのまま居住階へかご３を配車し（ステップＳ４６）、配車判断の動作が終了となる。一方、属性Ｄの利用者と居住者との同乗が可能である場合、制御盤４は、属性Ｄの利用者が降車後に居住者の待機階へかご３を配車し（ステップＳ４７）、配車判断の動作が終了となる。
【００４５】
次に、居住者による操作パネル１４の操作に基づいて訪問者の個人属性が決定された場合の制御盤４による配車判断の動作について説明する。図１７は、操作パネル１４が操作された場合の図１の制御盤４による動作を示すフローチャートである。まず、制御盤４は、居住者による操作パネル１４の操作を検出すると（ステップＳ５１）、ボタン１４ａ〜１４ｃ，１４ｘ〜１４ｚのどのボタンが操作されたかどうかを確認する（ステップＳ５２）。
【００４６】
ボタン１４ａ又はボタン１４ｘ（知人に対応するボタン）が操作された場合、制御盤４は、訪問者の個人属性が属性Ｂであると判別する（ステップＳ５３）。また、ボタン１４ｂ又はボタン１４ｙ（出入業者に対応するボタン）が操作された場合、制御盤４は、訪問者の個人属性が属性Ｃであると判別する（ステップＳ５４）。ボタン１４ｃ又はボタン１４ｚ（その他の訪問者に対応するボタン）が操作された場合、制御盤４は、訪問者の個人属性が属性Ｃであると判別する（ステップＳ５５）。
【００４７】
そして、制御盤４は、ボタン１４ａ〜１４ｃ，１４ｘ〜１４ｚの操作に応じて、各乗場階の表示変更を行い（ステップＳ５６）、訪問者がかご３に乗車する乗場階のタッチパネル式呼び登録装置５に居住階ボタン部（玄関階から居住階へ向かう場合）又は玄関階ボタン部（居住階から玄関階へ向かう場合）を表示させるとともに、玄関階以外の乗場階のタッチパネル式呼び登録装置５に上下ボタン部と、「訪問者乗車中」とを表示させる。
【００４８】
そして、制御盤４は、訪問者がかご３に乗車中のときに、居住者対応運転の呼び登録要求の情報を受信すると（ステップＳ５７）、かご３内の訪問者の個人属性と、居住者が設定したかご同乗条件とに基づいて、訪問者と居住者とがかご３内で同乗可能かどうかを判断する（ステップＳ５８）。同乗可能と判断した場合、制御盤４は、そのままかご３を居住者の待機階へ配車し（ステップＳ５９）、配車判断の動作が終了となる。一方、同乗不可と判断した場合、制御盤４は、訪問者がかご３から降車後に、かご３を居住者の待機階へ配車し（ステップＳ６０）、配車判断の動作が終了となる。
【００４９】
次に、ペットを飼育している居住者がかご３に乗車する場合の制御盤４による配車判断の動作について説明する。図１８は、ペットを飼育している居住者がかご３に乗車する場合の図１の制御盤４による動作を示すフローチャートである。図において、まず、制御盤４は、居住階からの居住者対応運転の呼び登録要求の情報を受信すると（ステップＳ６１）、居住者の個人識別情報に対応するかご同乗条件を確認し、居住者がペットを飼育していると判断する。そして、制御盤４は、居住者が待機する乗場階の表示変更を行い（ステップＳ６２）、タッチパネル式呼び登録装置５に「ペット同伴乗車？」とペット無ボタン部とを表示させ、ペット無ボタン部が操作されたかどうかを確認する（ステップＳ６３）。
【００５０】
ペット無ボタン部が操作されない場合、制御盤４は、居住者のペット同伴乗車であると判断し、居住階以外の乗場階の表示変更を行い（ステップＳ６４）、タッチパネル式呼び登録装置５に「他の階で居住者対応運転の呼び登録有り・ペット同伴運転中」と表示させる。一方、ペット無ボタン部が操作された場合、制御盤４は、居住者の単独乗車であると判断し、居住階以外の乗場階の表示変更を行い（ステップＳ６５）、タッチパネル式呼び登録装置５に「他の階で居住者対応運転の呼び登録有り」と表示させる。そして、制御盤４は、居住階以外の乗場階の表示変更を行うと、居住者が単独でかご３に乗車する場合の動作（図１４に示すステップＳ１３以降の動作）と同様に、居住階へかご３を配車する。
【００５１】
次に、かご３に居住者及び訪問者を含めた先乗者が乗車している場合に、ペットを飼育している居住者がかご３に乗車するときの制御盤４による配車判断の動作について説明する。図１９は、かごに先乗者がいる場合にペット同伴中の居住者が呼び登録を行ったときの図１の制御盤４による動作を示すフローチャートである。図において、まず、制御盤４は、居住階からの居住者対応運転の呼び登録要求の情報を受信すると（ステップＳ７１）、居住者の個人識別情報に対応するかご同乗条件と、利用者によるタッチパネル式呼び登録装置５の操作とに基づいて、居住者がペット同伴中であると判断する（ステップＳ７２）。
【００５２】
そして、制御盤４は、先乗者が居住者であるか又は訪問者であるかを確認する（ステップＳ７３）。先乗者が訪問者である場合、制御盤４は、訪問者の個人属性と待機中の居住者のかご同乗条件とに基づいて、訪問者と待機中の居住者との同乗が可能かどうかを判断する（ステップＳ７４）。訪問者と待機中の居住者との同乗が可能である場合、制御盤４は、待機中の居住者の居住階へかご３を配車し（ステップＳ７５）、配車判断の動作が終了となる。また、訪問者と待機中の居住者との同乗が不可である場合、制御盤４は、先乗者が降車後に、待機中の居住者の居住階へかご３を配車し（ステップＳ７６）、配車判断の動作が終了となる。
【００５３】
一方、先乗者が居住者である場合、制御盤４は、乗車中の居住者のかご同乗条件における他の利用者のペットとの同乗が可能に設定されているかどうかを確認する（ステップＳ７７）。他の利用者のペットとの同乗が不可に設定されている場合、制御盤４は、先乗者が降車後に、待機中の居住者の居住階へかご３を配車し（ステップＳ７６）、配車判断の動作が終了となる。また、他の利用者のペットとの同乗が可能に設定されている場合、制御盤４は、かご３に乗車中の居住者がペット同伴中かどうかを確認する（ステップＳ７８）。
【００５４】
乗車中の居住者がペット同伴中でない場合、制御盤４は、先乗者が降車後に、待機中の居住者の居住階へかご３を配車し（ステップＳ７５）、配車判断の動作が終了となる。また、乗車中の居住者がペット同伴中である場合、制御盤４は、待機中の居住者のかご同乗条件と、乗車中の居住者のかご同乗条件とを確認することにより、ペット同士の同乗が可能かどうかを判断する（ステップＳ７９）。そして、ペット同士の同乗が可能である場合、制御盤４は、待機中の居住者の居住階へかご３を配車し（ステップＳ７５）、配車判断の動作が終了となる。また、ペット同士の同乗が可能である場合、制御盤４は、先乗者が降車後に、待機中の居住者の居住階へかご３を配車し（ステップＳ７６）、配車判断の動作が終了となる。
【００５５】
上記のようなエレベータシステムでは、乗場個人識別装置又は玄関個人識別装置から取得した個人識別情報に対応するかご同乗条件に基づいて、居住者（個人識別情報が登録済の利用者）と訪問者（個人識別情報が未登録の利用者）とのかごへの同乗の可否を判別し、かごの配車順序を決定するので、居住者と訪問者とのかごへの同乗を回避することができ、居住者が快適にかごに乗車することができる。
【００５６】
また、居住者による操作パネルの操作によって、複数の訪問者属性の中から訪問者の個人属性が決定されるので、居住者がかご同乗条件を詳細に設定することにより、未知の入館目的の訪問者とのかごの同乗を拒否することができ、居住者のかご乗車時のセキュリティ性を向上させることができる。
【００５７】
さらに、タッチパネル式呼び登録装置を設けたので、居住者が設定したかご同乗条件及び配車設定に対応させた乗場表示を行うことができ、居住者に対する利便性をさらに向上させることができる。
【００５８】
さらにまた、居住者の個人識別情報に対応付けて、かごの配車設定を設定しており、ＩＣカードを読み込ませることにより、かご呼び登録、及び行先階の自動登録が実行されるので、居住者に対する利便性を向上させることができる。
【００５９】
また、ペットとの同伴乗車に係わる条件がかご同乗条件に含まれているので、ペットとの同伴乗車中の居住者と、他の居住者とのかごへの同乗を回避することができ、居住者が快適にかごに乗車することができる。
【００６０】
さらに、かご内に利用者がいないときにタッチパネル式呼び登録装置が上下ボタン表示となっているので、ＩＣカード未所持の利用者も使用することができる。これにより、ＩＣカードを忘れた居住者、及び建物内への入館を許可された訪問者であってもエレベータを使用することができる。
【００６１】
さらにまた、インターホン及びカメラが玄関に設けられているので、インターホン及びカメラからの情報を確認して居住者が訪問者に対する建物への入館の可否を判別可能なことにより、建物のセキュリティ性を向上させることができるとともに、居住者により入館が許可されない訪問者のエレベータの利用を拒絶することができる。
【００６２】
なお、実施の形態１は、マンション（集合住宅）について説明したが、この発明は、マンションに限るものではなく、テナントビル等の建物にも適用することができる。
【００６３】
また、実施の形態１は、単体のエレベータについて説明したが、この発明は、複数のエレベータによる群管理方式のエレベータにも適用することができる。この場合、予め設定された同乗条件と利用者の利用区分と基づいてエレベータを割り当てることにより、同乗条件に適合しない利用者同士のかごの同乗を回避することができる。
【００６４】
さらに、実施の形態１の図１６に示すような上下ボタン部による呼び登録要求の操作を禁止に設定してもよく、この場合、特定利用者属性の利用者のみがエレベータを自由に利用可能であり、訪問者属性の利用者によるエレベータの利用を制限するので、セキュリティ性をさらに向上させることができる。
【００６５】
さらにまた、実施の形態１では、利用者の個人識別情報の読取にＩＣカード７を用いたが、ＩＣカードに限るものではなく、他の個人識別媒体に個人識別情報を格納させてもよく、例えば磁気カード、携帯電話、及びＩＣタグ（半導体メモリ）等を用いてもよい。
【００６６】
また、実施の形態１では、利用者の個人認証に、ＩＣカード７に格納された利用者の個人識別情報を用いていたが、利用者の生体情報（指紋、声紋、掌紋、虹彩、顔画像、静脈等）を用いてもよい。
【図面の簡単な説明】
【００６７】
【図１】この発明の実施の形態１によるエレベータシステムを示す構成図である。
【図２】図１の操作パネルを拡大して示す正面図である。
【図３】図１の制御盤を具体的に示す構成図である。
【図４】図３の居住者情報記憶部に記憶された配車設定及びかご同乗条件の一例を示す説明図である。
【図５】図１のタッチパネル式呼び登録装置の表示の一例を示す正面図である。
【図６】図１のタッチパネル式呼び登録装置の表示の一例を示す正面図である。
【図７】図１のタッチパネル式呼び登録装置の表示の一例を示す正面図である。
【図８】図１のタッチパネル式呼び登録装置の表示の一例を示す正面図である。
【図９】図１のタッチパネル式呼び登録装置の表示の一例を示す正面図である。
【図１０】図１のタッチパネル式呼び登録装置の表示の一例を示す正面図である。
【図１１】図１のタッチパネル式呼び登録装置の表示の一例を示す正面図である。
【図１２】図１のタッチパネル式呼び登録装置の表示の一例を示す正面図である。
【図１３】居住者が玄関階から単独で乗車する場合の図１の制御盤による動作を示すフローチャートである。
【図１４】居住者が居住階から単独で乗車する場合の図１の制御盤の動作を示すフローチャートである。
【図１５】居住者が居住階及び玄関階以外の乗場階から単独で乗車する場合の図１の制御盤による動作を示すフローチャートである。
【図１６】かご内に属性Ｄの利用者が乗車している場合の図１の制御盤による動作を示すフローチャートである。
【図１７】操作パネルが操作された場合の図１の制御盤による動作を示すフローチャートである。
【図１８】ペットを飼育している居住者がかごに乗車する場合の図１の制御盤による動作を示すフローチャートである。
【図１９】かごに先乗者がいる場合にペット同伴中の居住者が呼び登録を行ったときの図１の制御盤４による動作を示すフローチャートである。
【符号の説明】
【００６８】
３  かご、４  制御盤（配車制御部）、５  タッチパネル式呼び登録装置、６  乗場個人識別装置（個人判別部）、１１  玄関個人識別装置（個人判別部）。
【図１】
2007290811.tif 000003
【図２】
2007290811.tif 000004
【図３】
2007290811.tif 000005
【図４】
2007290811.tif 000006
【図５】
2007290811.tif 000007
【図６】
2007290811.tif 000008
【図７】
2007290811.tif 000009
【図８】
2007290811.tif 000010
【図９】
2007290811.tif 000011
【図１０】
2007290811.tif 000012
【図１１】
2007290811.tif 000013
【図１２】
2007290811.tif 000014
【図１３】
2007290811.tif 000015
【図１４】
2007290811.tif 000016
【図１５】
2007290811.tif 000017
【図１６】
2007290811.tif 000018
【図１７】
2007290811.tif 000019
【図１８】
2007290811.tif 000020
【図１９】
2007290811.tif 000021